(57)【要約】【課題】気密性を有した扉錠を提供する。【解決手段】ハンドル１，７の回動操作でラッチ８０を後退させる扉錠であって、内座２には軸部材３を回動自在に枢支すると共に、内座２と軸部材３との間に第一シール材４を嵌装し、軸部材３と内ハンドル１との間に第二シール材５を嵌装し、内ハンドル１と軸部材３とを連結部材１２によって連結固定した時に、上記シール材４，５はハンドルの軸方向に圧着保持されることで気密性を有した構造とされる。【選択図】図２
2017133321.tif 000002
【特許請求の範囲】
【請求項１】
錠ケースに進退可能に設けられ、戸先側に付勢されるラッチと、このラッチを後退させるハンドルと、ハンドルを回動可能に保持する座とを備え、この座の一方の内座には軸部材を回動可能に保持させると共に、この軸部材に前記ハンドルの一方の外ハンドルの操作軸を挿通し、この操作軸の先端部に内ハンドルを取り付け、前記軸部材と内ハンドルとは前記内座を挟持した状態で連結部材により連結固定すると共に、前記内座と軸部材との間に第一シール材を設け、軸部材と内ハンドルとの間に第二シール材を設け、それぞれのシール材はハンドルの軸方向と一致する方向に圧着保持されるようにしたことを特徴とする扉錠。
【発明の詳細な説明】
【技術分野】
【０００１】
本発明は扉錠に関するもので、特に風水害により建物が水没した際に、水没した扉の扉錠の部分から水が建物内に浸水するのを防止するようにした扉錠に関するものである。
【背景技術】
【０００２】
本出願人は先に特開２０１４−１２９７０２号公報（以下特許文献１という）に示されるような、気密性を有する扉錠を提案した。
【先行技術文献】
【特許文献】
【０００３】
【特許文献１】特開２０１４−１２９７０２号公報
【発明の概要】
【発明が解決しようとする課題】
【０００４】
ところで、上記特許文献１に示される従来の扉錠では、ハンドル部分の気密性（水密性）を保持させる為の構造に問題があった。
【０００５】
即ち、上記従来の扉錠のハンドル部分は［図４］に示されるようにハンドル軸Ｈと座Ｒとの間であって、ハンドル軸Ｈの外周方向にＯリング等のシール材Ｓを設けていた。そのため、シール材Ｓはハンドル軸Ｈと座Ｒとにそれらの外周方向に圧接された状態でハンドルが回動操作されるので、シール材Ｓの摩耗が激しく、耐久性の点に於いて問題があった。
なお、図４において、Ｓ１は扉Ｄと座Ｒとの間に設けたシール材である。
【０００６】
本発明が解決しようとする課題は、上記従来の問題点を解決するためになされたもので、建物が水没した場合でも建物内への浸水を防止することができる扉錠であって、耐久性にも優れ、実用に好適な扉錠を提供することにある。
【課題を解決するための手段】
【０００７】
上記目的を達成するため、本発明の請求項１に記載の扉錠は、錠ケースに進退可能に設けられ、戸先側へ突出するように付勢されるラッチと、このラッチを後退させるハンドルと、このハンドルを回動可能に保持する座とを備え、この座の一方の内座には軸部材を回動可能に保持させると共に、この軸部材に前記ハンドルの一方の外ハンドルの操作軸を挿通し、この操作軸の先端部に内ハンドルを取り付け、前記軸部材と内ハンドルとは前記内座を挟持した状態で連結部材により連結固定すると共に、前記内座と軸部材との間に第一シール材を設け、また、軸部材と内ハンドルとの間に第二シール材を設け、それぞれのシール材はハンドルの軸方向と一致する方向に圧着保持されるようにしたことを特徴とする扉錠である。
【発明の効果】
【０００８】
本発明によれば、ハンドル部の気密性（水密性）が優れ、しかも長期間使用しても気密性が損なわれることもなく、また、ハンドルにがた付きも生じない耐久性に優れた扉錠を提供できる。
【図面の簡単な説明】
【０００９】
【図１】本発明の扉錠の使用状態を戸先側から見た正面図である。
【図２】図１の縦断面図である。
【図３】図２の要部拡大図である。
【図４】従来のこの種扉錠のハンドル部の断面図である。
【発明を実施するための形態】
【００１０】
以下、本発明の扉錠の実施例について図１〜図３に基づいて具体的に説明する。
【実施例】
【００１１】
図１は本発明の扉錠の実施例を示す図であり、使用状態を戸先側から見た正面図である。図２は図１の縦断面図である。図３は図２の要部拡大図である。
【００１２】
本実施例の扉錠Ｌは、玄関等の各種出入口の扉に適用可能であるが、水害により建物が水没した場合でも、水の進入（浸水）を防ぐ気密性を必要とする部所の扉に好適に用いられ、その他、実験室やクリーンルーム等の扉にも好適に用いられる。以下においては、扉や枠を含む開口部全体が気密性を有したものであって、その扉に扉錠Ｌが取り付けられた場合について説明する。
【００１３】
本実施例の扉錠Ｌが使用される扉Ｄは、開き戸形式とされ、例えば室外側へ開く外開きとされる。扉Ｄは、図示しないが、矩形状の枠の一側端部に丁番（図示せず）を介して回動可能に取り付けられる。
【００１４】
本実施例の扉錠Ｌは、前記特許文献１の従来の扉錠と同様に、その錠ケース８に本締まり用のデッドボルト８１を備え、このデッドボルト８１を操作するためのサムターンＴやシリンダーＣが扉Ｄに取り付けられる。なお、シリンダーＣが取り付けられる側（図１，図２の左側）が室外側で、右側が室内側である。
【００１５】
さらに、錠ケース８には戸先側に付勢されるラッチ８０が進退可能に設けられ、このラッチ８０を後退作動させる内ハンドル１と外ハンドル７とを備える。
【００１６】
なお、上記デッドボルト８１やラッチ８０の作動機構は、前記特許文献１にも示されている通りの従来公知の構成のものであるので、その説明は省略する。
【００１７】
外ハンドル７には操作軸７０が一体に設けられており、操作軸７０は室外側から錠ケース８内に設けられたラッチ８０作動用のハブ（図示せず）を挿通し、その先端部７１は室内側に突出する。
【００１８】
９は外座であり、外ハンドル７を回動可能に枢支している。この外座９にはネジ９１，９１により取付柱９０，９０が固定されている。また、取付柱９０，９０の先端部にはネジ穴９２，９２が形成されている。
【００１９】
２は内座であり、取付穴２１，２１からネジ２０，２０を挿通し、前記取付柱９０，９０のネジ穴９２，９２にネジ込んで、外座９と内座２とを扉Ｄに取り付け固定する。
【００２０】
内座２には、その底側（扉側）から軸部材３が装着され回動自在に保持されている。
この軸部材３の先端部３１は内座２から室内側に突出しており、この先端部３１に内ハンドル１の先端部１０を嵌め込み、ロールピン等の連結部材１２，１２を圧入して、内ハンドル１と軸部材３とを一体的に連結固定する。
【００２１】
内ハンドル１に設けた、軸部材３を嵌め込むための穴１３の終端部１５と軸部材３の先端部３１との間には、Ｏリング等の第二シール材５が嵌装されており、内ハンドル１と軸部材３とを連結部材１２，１２で連結固定したとき、第二シール材５は、軸部材３の先端部３１と内ハンドル１の穴１３の終端部１５とによってハンドルの軸方向に圧着される。それにより、軸部材３と内ハンドル１との間の気密性が確保される。
【００２２】
なお、上記第二シール材５が圧着されるのは、内ハンドル１に設けた連結部材１２圧入用の穴の位置と、軸部材３に設けた連結部材１２圧入用の穴との位置をハンドルの軸方向に少しずらして形成しておき、連結部材１２を圧入した時に両方の穴の位置が一致する方向に、即ち、内ハンドル１が軸部材３の方向に少し移動することにより、第二シール材５がハンドルの軸方向に圧着されるのである。
【００２３】
また、内座２に設けた軸部材３を嵌装する穴の開放終端部には溝２２が形成してあり、この溝２２にもＯリング等の第一シール材４が嵌装してあり、連結部材１２，１２を圧入して内ハンドル１と軸部材３とを連結固定した時に、上記と同様に第一シール材４は、軸部材３の鍔部３３と上記内座２に設けた溝２２の底部とに、前記の第二シール材５と同様に、ハンドルの軸方向に圧着されて保持される。それにより、軸部材３と内座２との間の気密性が確保される。
【００２４】
さらに、内座２の扉Ｄと当接する底部にもその外周方向に溝２３が形成され、この溝２３にＯリング等の第三シール材６が嵌装されており、内座２をネジ２０，２０で取り付けた時に、第三シール材６は扉Ｄと内座２の溝２３の底部とに圧着保持されるので、扉Ｄと内座２との間の気密性が確保される。
なお、この構成は前記特許文献１の扉錠の構成と同様である。
【００２５】
本実施例では、内ハンドル１に一体的に連結固定した軸部材３と内座２との間に第一シール材４が圧着して保持され、また内ハンドル１と軸部材３との間には第二シール材５が圧着して保持されるので、内座２と軸部材３との間から、および軸部材３と内ハンドル１との間からの水の進入（浸水）を防ぐことができる。
なお、扉Ｄと内座２との間からの水の進入は、前記の通り従来と同様に第三シール材６によって防ぐ事ができる。
【００２６】
また、本実施例では、内ハンドル１の軸部材３と内座２との間に嵌装した第一シール材４および軸部材３と内ハンドル１との間に嵌装した第二シール材５は、それぞれハンドルの軸方向に圧着されて保持され、特に、室内側に最も近い部分に位置する第二シール材５は、内ハンドル１と軸部材３と一体的に回動するので、第二シール材５の摩耗は殆ど生じない。従って、長期の使用によっても気密性が失われない。
【００２７】
なお、第一シール材４は、軸部材３と内座２との間に圧着保持されるので、固定された内座２に対して軸部材３は回動するので、この第一シール材４には長期の使用によって摩耗は多少は生じる。
しかしながら、例え、内座２と軸部材３との間の第一シール材４が摩耗が生じて、水が軸部材３と内ハンドル１との間から進入してきても、第二シール材５によって内ハンドル１部から室内側への水の進入は確実に防ぐことができる。
【００２８】
なお、前記の外ハンドル７の操作軸７０の先端部７１には、内ハンドル１が嵌め込まれて、ハンドル固定ネジ１１が内ハンドル１のネジ穴１４からねじ込まれ、ネジ１１の先端が操作軸７０を押圧することにより、内ハンドル１は操作軸７０に一体固定され、内ハンドル１は外ハンドル７と連結固定される。
前記ネジ１１には、ネジロックと称される塗料が塗布されており、ネジ１１の弛み止め効果と共に、内ハンドル１のネジ穴１４からの水の浸水を防ぐ気密性をも確保できる。
この上記構成は、従来公知の構成である。
【００２９】
上記の通り、本実施例における扉錠Ｌは気密性を有しているので、水害の際に建物が水没しても、扉錠の部分からの浸水を確実に防ぐ事が出来る。また、実験室等の扉に用いた場合、実験室内で有毒ガス等が発生しても、室内側から室外側へ洩れ出ることが防げるので安全である。
さらに、浴室の扉に使用することにより、水分（湿気）の浴室外（建物内）への進入を防ぐことができる。
【００３０】
その他、本実施例の扉錠ＬのシリンダーＣやサムターンＴ等の構成は、特許文献１に示される従来のものと同じ構成であり、従来例と同様に気密性を有するものである。
また、その具体的な構成および作用は従来と同様であるので、その説明は省略する。
【００３１】
本実施例において、シール材としてＯリングを設けたが、他のシール材であってもよいことは言うまでもない。
【００３２】
また、本実施例では、内ハンドル１と軸部材３の連結部材１２としてロールピンを用いたが、ロールピン以外のピン等でもよくネジでもよい。
【００３３】
また、本実施例ではハンドルとしてレバーハンドルを用いたが、ノブ等の他のハンドルを用いてもよい。
【００３４】
さらに、本実施例では外開き扉に扉錠を適用したが、内開き扉に適用してもよいことは言うまでもない。
【００３５】
さらに、本実施例では内座２に軸部材３を設け、内座２と軸部材３との間および軸部材３と内ハンドル１との間にシール材を設けるようにしたが、逆に外座９に軸部材を設け、外座と軸部材との間および軸部材と外ハンドルとの間にシール材を設けるようにして、外部と室内側の扉との間に気密性を確保するようにしてもよい。
また、両側の座とハンドルとに気密性を確保するようにしてもよいことは言うまでもない。
【符号の説明】
【００３６】
１    内ハンドル
２    内座
３    軸部材
４    第一シール材
５    第二シール材
６    第三シール材
７    外ハンドル
８    錠ケース
９    外座
１２  連結部材
２０  ネジ
７０  操作軸
７１  先端部
８０  ラッチ
８１  デッドボルト
９０  取付柱
Ｃ    シリンダー
Ｄ    扉
Ｔ    サムターン
Ｌ    扉錠
【図１】
2017133321.tif 000003
【図２】
2017133321.tif 000004
【図３】
2017133321.tif 000005
【図４】
2017133321.tif 000006